(57)【要約】      （修正有）【課題】時間と手間をかけずに、正確な位置を測量された基準点に鉛直設置し、水平に正確な設置ができる対空標識を提供する。【解決手段】剛性板０１の表面に対空標示を標示した対空標識であり、剛性板０１の中心の孔に整準台装着用金具０２を装着する。測量された基準点１２の鉛直上に測量用三脚０９と水平設置された測量整準台０４に、剛性板０１に整準台装着用金具０２を装着された厳密対空標識を装着することで、速やかに対空標識が設置できる。【選択図】図４
0003231347.tif 000002
【実用新案登録請求の範囲】
【請求項１】
剛性板に孔を有し、該孔に整準台に装着できる金具からなることを特徴とする対空標識。
【請求項２】
上記剛性板の表面に標示用塗装または標示フィルムを貼り付けられこと特徴とする請求項１に記載の対空標識。
【請求項３】
上記剛性板の表面にＧＰＳ受信機を装着できること特徴とする請求項１に記載の対空標識。
【考案の詳細な説明】
【技術分野】
【０００１】  本考案は、無人航空機（ＵＡＶ：Ｕｎｍａｎｎｅｄ  Ａｅｒｉａｌ  Ｖｅｈｉｃｌｅ：通称ドローン）による測量の対空標識に関する。
【背景技術】
【０００２】  ＵＡＶを用いた測量にはＵＡＶ空中写真測量やＵＡＶレーザー測量が実施されている。【０００３】  ＵＡＶ空中写真測量は、空中三角測量に必要となる水平位置および標高の基準となる標定点である対空標識および水平位置および標高の精度を検証する検証点である対空標識を設置し、上空からＵＡＶにて写真撮影をおこな測量である。【０００４】  ＵＡＶレーザー測量は、ＧＮＳＳでアンテナを使って位置を捉え、ＩＭＵ（慣性計測装置）でレーザーを発射した方向を計算して３次元点群データを作成する。３次元点群データの調整（精度の確保）するために、計測範囲内に調整点である対空標識を設置するし必要がある。【０００５】  対空標識の位置は、正確な水平位置および標高を測量した点である必要がある。
【先行技術文献】
【特許文献】
【０００６】
【特許文献１】特許６６９５０８５
【特許文献２】実登３２１２１０２
【考案の概要】
【考案が解決しようとする課題】
【０００７】  ＵＡＶ空中写真測量やＵＡＶレーザー測量の精度を確保するためには、測量された基準になる点に、上述した対空標識を鉛直設置し水平に設置する必要がある。【０００８】  対空標識を設置する地面が斜めになっている地面では、対空標識を水平に設置する場合、対空標識の角に杭を打って高さを調整して設置しなければならないので、対空標識の設置に手間と時間がかかる。【０００９】  また、三脚に直接、対空標識を取り付けた場合、基準になる点の鉛直設置や水平にするために脚の長さを微調整するのに手間と時間がかかる。【００１０】  本考案は、上記事情に鑑みて創案されたもので、時間と手間をかけずに、正確な位置を測量された基準点に鉛直設置し、水平に対空標識の正確な設置できる対空標識を提供することを目的としている。
【課題を解決するための手段】
【００１１】  上記の目的を達成するために、本考案は、剛性の高い板に穴を有し、該穴に測量用整準台に装着できる金具を装着した対空標識となっている。
【考案の効果】
【００１２】  本考案に係る対空標識の設置は、測量用三脚に測量用整準台を設置して、基準になる点の鉛直設置および測量用整準台の水平を測量整準台で速やかに整準できる。
整準された上記測量整準台に上記対空標識を装着することで、基準になる点の鉛直設置および対空標識の水平設置が完了する。【００１３】  対空標識が剛性の高い板でできているため、対空標識のたるみが少なく、対空標識全体が水平に保てる。【００１４】  上記対空標識表面に標示用塗装又は標示フィルムを貼り付けることにより、上空からの判定が容易にできる。【００１５】  上記剛性の高い板の表面中心にＧＰＳ受信アンテナを設置することにより、対空標識を設置いた上部からＧＰＳ測量ができ、正確に水平位置と標高が測量できる。
【図面の簡単な説明】
【００１６】
【図１】本考案の実施形態を示す厳密対空標識における上面平面図
【図２】本考案の実施形態を示す厳密対空標識における下面平面図
【図３】同厳密対空標識における対空標識のＡ−Ａ断面図
【図４】同厳密対空標識における測量用三脚および測量用整準台に厳密対空標識を装着した場合の断面図
【図５】同厳密対空標識における厳密対空標識上部にＧＰＳ受信機を装着した場合の断面図
【考案を実施するための形態】
【００１７】  以下、本考案の形態を図１〜図５に基づいて説明する。図１から図３は、本考案の厳密対空標識をしめし、図４から図６については、本考案の対空標識の使用例をしめす。
【００１８】  図１においては、本考案の厳密対空標識上面平面図で、剛性板０１の中心の孔に整準台装着用金具０２を装着する。
剛性板０１の表面に対空標示０３を標示した厳密対空標識である。
【００１９】  図２は、本考案の厳密対空標識下面平面図で、剛性板０１の中心の孔に整準台装着用金具０２を装着する。
【００２０】  図３においては、本考案の厳密対空標識Ａ−Ａ断図で剛性板０１の中心の孔に整準台装着用金具０２を装着する。
剛性の高い板０１の上面に、対空標示０３を標示した厳密対空標識である。
【００２１】  図４は、測量用三脚０９および測量用整準台０４に厳密対空標識を装着した場合の本考案の厳密対空標識に装着した断面図である。
【００２２】  地盤面１１に基準点測量で測量された測量基準点１２が設置してある。
測量基準点１２の鉛直上に測量用整準台０４を設置するために、測量用三脚０９をおおまかな位置に設置をする。その測量用三脚０９の上に厳密な鉛直と水準するために測量用整準台０４を整準台固定ネジ０８を回転させ装着する。
【００２３】  測量用整準台０４の求心望遠鏡０５で測量基準点１２をのぞきながら、測量用整準台０４の水準器１０で水平調整ネジ０６や整準台固定ネジ０８で、測量基準点１２の鉛直中心位置と測量用整準台０４が水平になるよう整準させ、測量用整準台０４を設置する。
【００２４】  測量基準点１２の鉛直上に整準された測量用整準台０４に、剛性板０１に整準台装着用金具０２で装着された厳密対空標識を測量用整準台０４の上部から挿入し、整準台締付ネジ０７で厳密対空標識を固定する。結果、厳密対空標識は、測量基準点１２の鉛直上に整準される。
【００２５】  図５は、本考案の厳密対空標識上部にＧＰＳ受信機１３を装着した場合の断面図である。
【００２６】  図５の図４の測量用三脚０９を省略した、測量用整準台０４と本考案の厳密対空標識の上部図面で、厳密対空標識上部にＧＰＳ受信機１３を装着するために、整準台装着用金具０２とＧＰＳ受信機１３を調整する調整リング１４である。
【００２７】  図４の設置方法は、測量基準点１２の鉛直中心位置と測量用整準台０４が水平になるよう整準しなければならないが、図５による厳密対空標識の設置方法は、測量用整準台０４を水平に設置さえすれば、ＧＰＳ受信機１３で水平位置および高さが計測できるので、作業効率が高くなる。
【００２８】  上記の図１〜図５について説明したように、対空標識を位置および設置精度を高めた厳密対空標識である。測量用整準台０４は測量で通常使用するもので、測量用反射プリズムを装着するものである。今後、ＵＡＶ空中写真測量やＵＡＶレーザー測量の計測技術や精度が向上し、検証用の精度の高い厳密対空標識が不可欠である。
【産業上の利用可能性】
【００２９】  本考案は、ＵＡＶ空中写真測量やＵＡＶレーザー測量で利用される
【符号の説明】
【００３０】０１  剛性板
０２  整準台装着用金具
０３  対空標示
０４  測量用整準台
０５  求心望遠鏡
０６  水平調整ネジ
０７  整準台締付ネジ
０８  整準台固定ネジ
０９  測量用三脚
１０  水準器
１１  地盤面
１２  測量基準点
１３  ＧＰＳ受信機
１４  調整リング
【図１】
0003231347.tif 000003
【図２】
0003231347.tif 000004
【図３】
0003231347.tif 000005
【図４】
0003231347.tif 000006
【図５】
0003231347.tif 000007